(57)【要約】【課題】生体埋植材の適用面積が広い場合であっても、作業が煩雑になったり手術時間が長時間となったりすることなく、さらには製品出荷時において包装体が嵩張るのを抑えることが可能な生体埋植材用挿入補助具を提供する。【解決手段】シート状の生体埋植材を体内に挿入するための生体埋植材用挿入補助具１０。挿入補助具１０は、組み合わせると筒状をなす一対の半割部材２０，３０を備える。半割部材２０，３０は、ヒンジ部４０を介して開閉可能に連結されている。ヒンジ部４０は、半割部材２０，３０の長手方向に沿って配置されている。半割部材２０，３０は、半割部材２０，３０を閉じたときに、半割部材２０，３０でもって生体埋植材を挟持可能に構成され、かつ、半割部材２０，３０の外面に生体埋植材を巻付け可能に構成されている。【選択図】図３
2015058036.tif 000002
【特許請求の範囲】
【請求項１】
シート状の生体埋植材（Ａ）を体内に挿入するための生体埋植材用挿入補助具であって、
組み合わせると筒状をなす一対の半割部材（２０，３０）を備え、
前記一対の半割部材（２０，３０）は、ヒンジ部（４０）を介して開閉可能に連結され、
前記ヒンジ部（４０）は、前記一対の半割部材（２０，３０）の長手方向に沿って配置され、
前記一対の半割部材（２０，３０）における対向する二面のうち少なくとも一方には、前記生体埋植材（Ａ）を載置する載置面（２２）が形成されており、
前記一対の半割部材（２０，３０）は、前記一対の半割部材（２０，３０）を閉じたときに、前記一対の半割部材（２０，３０）でもって前記生体埋植材（Ａ）を挟持可能に構成され、かつ、前記一対の半割部材（２０，３０）の外面に前記生体埋植材（Ａ）を巻付け可能に構成されている、生体埋植材用挿入補助具（１０）。
【請求項２】
請求項１に記載の生体埋植材用挿入補助具において、
前記載置面（２２）における前記ヒンジ部（４０）側の位置には、前記生体埋植材（Ａ）の載置位置及び載置角度のうち少なくとも一方を調整するための載置調整部が設けられている、生体埋植材用挿入補助具（１０）。
【請求項３】
請求項２に記載の生体埋植材用挿入補助具において、
前記載置調整部は、前記載置面（２２）に対して垂直に立設された壁部（２４）である、生体埋植材用挿入補助具（１０）。
【請求項４】
請求項１〜３のいずれか一項に記載の生体埋植材用挿入補助具において、
前記一対の半割部材（２０ｂ，３０ｂ）の端部には、所定深さの凹部（２６ｂ，３６ｂ）が設けられている、生体埋植材用挿入補助具（１０ｂ）。
【請求項５】
請求項１〜４のいずれか一項に記載の生体埋植材用挿入補助具において、
前記一対の半割部材（２０ｃ，３０ｃ）の端部には、前記一対の半割部材（２０ｃ，３０ｃ）を組み合わせたときに尖形となる尖形部が設けられている、生体埋植材用挿入補助具（１０ｃ）。
【請求項６】
請求項１〜５のいずれか一項に記載の生体埋植材用挿入補助具において、
前記一対の半割部材（２０，３０）のそれぞれは、断面半円形であり、前記一対の半割部材（２０，３０）を閉じると円筒状となる、生体埋植材用挿入補助具（１０）。
【請求項７】
シート状の生体埋植材（Ａ）と、
前記シート状の生体埋植材（Ａ）を体内に挿入するための生体埋植材用挿入補助具（１０）とを備える包装体であって、
前記生体埋植材用挿入補助具（１０）は、請求項１〜６のいずれか一項に記載の生体埋植材用挿入補助具である、包装体（１）。
【請求項８】
請求項７に記載の包装体において、
前記生体埋植材（Ａ）は、平面視長方形状であり、
前記生体埋植材用挿入補助具（１０）が２つ封入されており、
２つの前記生体埋植材用挿入補助具（１０）のそれぞれは、前記生体埋植材（Ａ）における直交する２辺に沿って配置されている、包装体（１）。
【発明の詳細な説明】
【技術分野】
【０００１】
本発明は、シート状の生体埋植材を体内に挿入するための生体埋植材用挿入補助具及び包装体に関する。
【背景技術】
【０００２】
外科手術や外傷等に起因して発生し得る、生体組織の癒着を低減するための癒着防止材として、従来、シート状の癒着防止材が知られている（例えば、特許文献１及び２参照。）。このようなシート状の癒着防止材は、袋状の包装体内に収納されており、使用の際、包装体から癒着防止材を取り出し、所定の貼付方法でもって生体組織に貼付している。
【０００３】
また、近年では、より低侵襲な手術方法として腹腔鏡等を用いた鏡視下手術が行われており、当該手術においてシート状の癒着防止材を体内に挿入する方法が検討されている。
【０００４】
例えば非特許文献１では、シート状の癒着防止材を小さく裁断し、筒状に丸めて体内に挿入する方法が紹介されている。具体的に説明すると、まず、包装体内から取り出した癒着防止材を６分割又は１２分割する。そして、裁断した癒着防止材の一端を鉗子で把持した状態で筒状に丸めた後、トロッカーを介して体内に挿入する。
【０００５】
また、特許文献３では、シート状の癒着防止材を体内に挿入するための専用の挿入補助具について開示されている。当該挿入補助具は、先端部に切れ込みが入った棒状部材と、この棒状部材を内部に保持可能に構成されたスリーブとからなり、棒状部材の切れ込み部分にシート状の癒着防止材が挟持されるように構成されている。癒着防止材を体内に挿入する際には、棒状部材の切れ込み部分にシート状の癒着防止材を挟み込んだ状態で、棒状部材に癒着防止材を巻き付け、癒着防止材を巻き付けた棒状部材をスリーブ内に装填した後、トロッカーを介して又は直接、スリーブを体内に挿入する。
【先行技術文献】
【特許文献】
【０００６】
【特許文献１】特開２００３−０６２０６３号公報
【特許文献２】国際公開２０１１／０８１１６２号パンフレット
【特許文献３】特開平６−１６９９２６号公報
【非特許文献】
【０００７】
【非特許文献１】綾部琢哉、"腹腔鏡下直接挿入法"、［online］、科研製薬株式会社のセプラフィルム情報サイト、［平成２５年５月２８日検索］、インターネット＜URL：http://seprafilm.jp/howto02.html＞
【発明の概要】
【発明が解決しようとする課題】
【０００８】
ところで、癒着防止材の適用面積が広い場合、非特許文献１で紹介されている方法では、小さく裁断した癒着防止材が数多く必要となるため、癒着防止材を裁断する作業や裁断した癒着防止材を筒状に丸めて体内に挿入する作業を何度も行わなければならない。これらの作業が増えると、手術時間の長期化を招きかねない。
【０００９】
一方、特許文献３に開示された挿入補助具を用いれば、癒着防止材を小さく裁断しなくても体内に挿入することができる。このため、癒着防止材の適用面積が広い場合であっても、上記した作業の煩雑性や手術時間の長期化といった問題は、ある程度改善されると考えられる。
【００１０】
しかしながら、特許文献３に開示された挿入補助具を癒着防止材とともに包装体内に封入した場合、挿入補助具の径の大きさの分、包装体全体の厚みが厚くなってしまい、製品出荷時に包装体が嵩張ってしまうという問題がある。
【００１１】
なお、これらの問題は、シート状物が癒着防止材である場合に限ったものではなく、例えばシート状の組織補填材など、他のシート状の生体埋植材である場合にも存在する。
【００１２】
そこで、本発明は、上記の問題を解決するためになされたもので、生体埋植材の適用面積が広い場合であっても、作業が煩雑になったり手術時間が長時間となったりすることなく、さらには製品出荷時において包装体が嵩張るのを抑えることが可能な生体埋植材用挿入補助具及び包装体を提供することを目的とする。
【課題を解決するための手段】
【００１３】
本発明の生体埋植材用挿入補助具は、シート状の生体埋植材を体内に挿入するための生体埋植材用挿入補助具であって、組み合わせると筒状をなす一対の半割部材を備え、前記一対の半割部材は、ヒンジ部を介して開閉可能に連結され、前記ヒンジ部は、前記一対の半割部材の長手方向に沿って配置され、前記一対の半割部材における対向する二面のうち少なくとも一方には、前記生体埋植材を載置する載置面が形成されており、前記一対の半割部材は、前記一対の半割部材を閉じたときに、前記一対の半割部材でもって前記生体埋植材を挟持可能に構成され、かつ、前記一対の半割部材の外面に前記生体埋植材を巻付け可能に構成されていることを特徴とする。
【００１４】
本発明の生体埋植材用挿入補助具を用いてシート状の生体埋植材を体内に挿入するにあたっては、まず、一対の半割部材を開いた状態で載置面上に生体埋植材の端部を載置し、一対の半割部材を閉じると、生体埋植材の端部が一対の半割部材でもって挟持された状態となる。その状態で、一対の半割部材の外面に生体埋植材を巻き付けると、本発明の生体埋植材用挿入補助具を中心として筒状に巻かれた生体埋植材が出来上がる。このようにして筒状に巻かれた生体埋植材を、本発明の生体埋植材用挿入補助具ごと、トロッカーを介して又は直接体内に挿入する。
【００１５】
本発明の生体埋植材用挿入補助具によれば、上述のように、生体埋植材を小さく裁断しなくても体内に挿入することができるため、生体埋植材を体内に挿入するための作業が煩雑になったり手術時間が長時間となったりすることもない。また、「挟む」と「巻き付ける」という２つの動作を行うだけで、比較的簡単にシート状の生体埋植材を筒状に巻くことができるため、作業の容易性という面でも優れている。
【００１６】
また、本発明の生体埋植材用挿入補助具によれば、一対の半割部材がヒンジ部を介して開閉可能に連結されているため、一対の半割部材を開いた状態で包装体内に封入しておくことができる。一対の半割部材が開いた状態では、一対の半割部材が閉じた状態と比べて、生体埋植材用挿入補助具自体の高さ（厚み）が約半分となるため、包装体全体の厚みもその分抑えることができ、従来の挿入補助具の場合ほど包装体が嵩張ることも無い。
【００１７】
したがって、本発明の生体埋植材用挿入補助具は、生体埋植材の適用面積が広い場合であっても、作業が煩雑になったり手術時間が長時間となったりすることなく、さらには製品出荷時において包装体が嵩張るのを抑えることが可能な生体埋植材用挿入補助具となる。
【００１８】
また、本発明の生体埋植材用挿入補助具によれば、ヒンジ部が一対の半割部材の長手方向に沿って配置されているため、一対の半割部材を開いた状態で包装体内に封入した際に、生体埋植材用挿入補助具全体として長くなりすぎることもなく、比較的コンパクトなものとすることができる。
【００１９】
本発明の生体埋植材用挿入補助具においては、前記載置面における前記ヒンジ部側の位置には、前記生体埋植材の載置位置及び載置角度のうち少なくとも一方を調整するための載置調整部が設けられていることが好ましい。
【００２０】
このように構成することにより、生体埋植材の載置位置や載置角度を正しく調整したうえで載置面上に生体埋植材を載置することができ、一対の半割部材の外面に生体埋植材を適切に巻き付けることが可能となる。
【００２１】
本発明の生体埋植材用挿入補助具においては、前記載置調整部は、前記載置面に対して垂直に立設された壁部であることが好ましい。
【００２２】
このように構成することにより、生体埋植材を壁部に突き当てるだけで、生体埋植材の載置位置や載置角度を正しく調整することが可能となる。
【００２３】
本発明の生体埋植材用挿入補助具においては、前記一対の半割部材の端部には、所定深さの凹部が設けられていることが好ましい。
【００２４】
このように構成することにより、例えば、体内で一対の半割部材を開くときや、体内から生体埋植材用挿入補助具を回収するときなどにおいて、凹部が設けられた部分を鉗子等で把持しやすく、利便性に優れたものとなる。
【００２５】
本発明の生体埋植材用挿入補助具においては、前記一対の半割部材の端部には、前記一対の半割部材を組み合わせたときに尖形となる尖形部が設けられていることが好ましい。
【００２６】
このように構成することにより、例えば、体内に生体埋植材用挿入補助具を挿入する際に挿入しやすく、また、体内から生体埋植材用挿入補助具を回収する際に回収しやすいという効果がある。
【００２７】
本発明の生体埋植材用挿入補助具においては、前記一対の半割部材のそれぞれは、断面半円形であり、前記一対の半割部材を閉じると円筒状となることが好ましい。
【００２８】
このように構成することにより、一対の半割部材の外面に生体埋植材を巻いたとき、生体埋植材に望ましくない折れ目が生じることなく、スムーズに巻き付けることが可能となる。また、トロッカー等の円管部材を介しての体内挿入が比較的容易となる。
【００２９】
本発明の包装体は、シート状の生体埋植材と、前記シート状の生体埋植材を体内に挿入するための生体埋植材用挿入補助具とを備える包装体であって、前記生体埋植材用挿入補助具は、本発明の生体埋植材用挿入補助具であることを特徴とする。
【００３０】
本発明の包装体によれば、上記した本発明の生体埋植材用挿入補助具を備えているため、生体埋植材の適用面積が広い場合であっても、作業が煩雑になったり手術時間が長時間となったりすることなく、さらには製品出荷時において従来よりも嵩張ることの無い、優れた包装体となる。
【００３１】
本発明の包装体においては、前記生体埋植材は、平面視長方形状であり、前記生体埋植材用挿入補助具が２つ封入されており、２つの前記生体埋植材用挿入補助具のそれぞれは、前記生体埋植材における直交する２辺に沿って配置されていることが好ましい。
【００３２】
２つの生体埋植材用挿入補助具のうち、長辺側に配置された生体埋植材用挿入補助具を用いるのか、短辺側に配置された生体埋植材用挿入補助具を用いるのかを、使用者の意図に応じて自由に選択することができ、使い勝手に優れたものとなる。
【００３３】
なお、特許請求の範囲に記載した各部材等の文言下に括弧をもって付加された符号は、特許請求の範囲に記載された内容の理解を容易にするために用いられたものであって、特許請求の範囲に記載された内容を限定するものではない。
【図面の簡単な説明】
【００３４】
【図１】図１は、一対の半割部材２０，３０が開いた状態における、生体埋植材用挿入補助具１０を説明するために示す図である。
【図２】図２は、一対の半割部材２０，３０を閉じた状態における、生体埋植材用挿入補助具１０を説明するために示す図である。
【図３】図３は、生体埋植材Ａの端部が一対の半割部材２０，３０でもって挟持される様子を模式的に示す斜視図である。
【図４】図４は、第１実施形態に係る包装体１を説明するために示す図である。
【図５】図５は、第２実施形態に係る生体埋植材用挿入補助具１０ａを説明するために示す図である。
【図６】図６は、第３実施形態に係る生体埋植材用挿入補助具１０ｂを説明するために示す斜視図である。
【図７】図７は、第４実施形態に係る生体埋植材用挿入補助具１０ｃを説明するために示す図である。
【図８】図８は、変形例に係る包装体１ａを説明するために示す図である。
【発明を実施するための形態】
【００３５】
以下、本発明の生体埋植材用挿入補助具（以下、単に挿入補助具と略すこともある。）及び包装体について、図に示す実施の形態に基づいて説明する。
【００３６】
［第１実施形態］
まず、第１実施形態に係る挿入補助具の構成について、図１〜図３を用いて説明する。
【００３７】
図１は、一対の半割部材２０，３０が開いた状態における、挿入補助具１０を説明するために示す図である。図１（ａ）は挿入補助具１０の正面図であり、図１（ｂ）は挿入補助具１０の左側面図であり、図１（ｃ）は挿入補助具１０の右側面図であり、図１（ｄ）は挿入補助具１０の平面図であり、図１（ｅ）は図１（ｂ）の一点鎖線で囲んだ部分を拡大して示す図であり、図１（ｆ）は挿入補助具１０の一端部を拡大して示す斜視図である。
図２は、一対の半割部材２０，３０を閉じた状態における、挿入補助具１０を説明するために示す図である。図２（ａ）は挿入補助具１０の正面図であり、図２（ｂ）は挿入補助具１０の左側面拡大図であり、図２（ｃ）は挿入補助具１０の平面図であり、図２（ｄ）は挿入補助具１０の一端部を拡大して示す斜視図である。
図３は、生体埋植材Ａの端部が一対の半割部材２０，３０でもって挟持される様子を模式的に示す斜視図である。図３（ａ）は一対の半割部材２０，３０を開いた状態で載置面２２上に生体埋植材Ａの端部を載置した様子を模式的に示す図であり、図３（ｂ）は一対の半割部材２０，３０を閉じたときの様子を模式的に示す図である。
なお、図３（ａ）及び図３（ｂ）においては、発明の理解を容易にするため、一対の半割部材２０，３０の長さを実際よりも短く図示している。また、生体埋植材Ａを着色して図示している。
【００３８】
第１実施形態に係る挿入補助具１０は、シート状の生体埋植材Ａを体内に挿入するための生体埋植材用挿入補助具であって、図１〜図３に示すように、組み合わせると筒状をなす一対の半割部材２０，３０を備える。
【００３９】
一対の半割部材２０，３０の間には、一対の半割部材２０，３０の長手方向に沿ってヒンジ部４０が配置されており、一対の半割部材２０，３０を連結している。一対の半割部材２０，３０は、ヒンジ部４０を介して開閉可能に構成されている。
【００４０】
一対の半割部材２０，３０のそれぞれは、断面半円形であり、一対の半割部材２０，３０を閉じると真円の円筒状となる（図２（ｂ）及び図３（ｂ）参照。）。
【００４１】
一対の半割部材２０，３０を構成する材料としては、例えばポリプロピレンを用いている。
【００４２】
一対の半割部材２０，３０のそれぞれについて、長さＬは１０ｍｍ〜３００ｍｍであることが好ましく、幅Ｗは２ｍｍ〜１２ｍｍであることが好ましく、高さ（厚み）Ｈは１ｍｍ〜６ｍｍであることが好ましい。第１実施形態に係る挿入補助具１０においては、一対の半割部材２０，３０の長さＬが１００ｍｍであり、幅Ｗが１０ｍｍであり、高さ（厚み）Ｈが５ｍｍにそれぞれ設定されている。
【００４３】
一対の半割部材２０，３０における対向する二面のうち半割部材２０側には、生体埋植材Ａを載置する載置面２２が形成されている。載置面２２は略平面であり、載置面２２の全体にわたって、例えばブラスト加工による凹凸処理が施されている。
【００４４】
載置面２２におけるヒンジ部４０側の位置には、図１（ｅ）に示すように、載置面２２に対して垂直に立設された壁部２４が設けられている。壁部２４の高さｈは、例えば０．０２ｍｍに設定されている。なお、壁部２４の高さは、載置することになる生体埋植材の厚みに応じて適宜設定変更してもよい。
【００４５】
壁部２４は、半割部材２０の長手方向に沿って直線状に配置されており、ヒンジ部４０と平行関係にある。これにより、生体埋植材Ａの端部が壁部２４と突き当たるようにして載置面２２上に生体埋植材Ａを載置するだけで、生体埋植材Ａの載置位置（載置面２２上における位置）及び載置角度（平面的に見たときの壁部２４に対する傾き具合）が正しく調整されることとなる。すなわち、壁部２４は、載置面２２上に載置された生体埋植材Ａの載置位置及び載置角度を調整するための載置調整部としての役割を果たす。
【００４６】
一対の半割部材２０，３０を閉じたとき、一対の半割部材２０，３０の対向する二面の間には、隙間ｇが形成される（図２（ｂ）参照。）。一対の半割部材２０，３０における対向する二面は、平行関係にあるため、この隙間ｇの高さは一定である。なお、隙間ｇの高さは、壁部２４の高さｈとほぼ同一である。
【００４７】
一対の半割部材２０，３０は、図３（ａ）及び図３（ｂ）に示すように、一対の半割部材２０，３０を閉じたときに、一対の半割部材２０，３０でもって生体埋植材Ａを挟持可能に構成されている。また、一対の半割部材２０，３０でもって生体埋植材Ａを挟持した状態（図３（ｂ）に示す状態）で、一対の半割部材２０，３０の外面に生体埋植材Ａを巻付け可能に構成されている、
【００４８】
次に、第１実施形態に係る包装体１の構成について、図４を用いて説明する。
【００４９】
図４は、第１実施形態に係る包装体１を説明するために示す図である。図４（ａ）は包装体１の全体構成を示す図であり、図４（ｂ）は生体埋植材Ａが載置された状態の２つの挿入補助具１０を示す図（平面図）であり、図４（ｃ）は図４（ｂ）の矢印Ｐ方向から見たときの生体埋植材Ａ及び挿入補助具１０を拡大して示す図（正面図）である。
なお、図４（ａ）及び図４（ｂ）においては、発明の理解を容易にするため、生体埋植材Ａを着色して図示している。
【００５０】
第１実施形態に係る包装体１は、図４に示すように、シート状の生体埋植材Ａと、シート状の生体埋植材Ａを体内に挿入するための２つの挿入補助具１０と、生体埋植材Ａ及び２つの挿入補助具１０を内包する内袋９０とを備える。
【００５１】
生体埋植材Ａは、例えば癒着防止材である。生体埋植材Ａの平面形状は、図４（ａ）及び図４（ｂ）に示すように、例えば隣り合う辺の長さが異なる長方形状である。
【００５２】
２つの挿入補助具１０のそれぞれは、生体埋植材Ａにおける直交する２辺（短辺と長辺）に沿って配置されている。
【００５３】
内袋９０は、生体埋植材Ａと２つの挿入補助具１０を組み合わせた状態で内部に収納可能に構成されている。内袋９０の両端部９２，９４は、例えば熱圧着により封止されている。端部９２には切り口９６が設けられており、切り口９６の部分から内袋９０を破ることにより、内袋９０を容易に開封することができる。
内袋９０の構成材料としては、例えばポリエチレン、ポリ塩化ビニル、ポリプロピレンなどの樹脂を好適に用いることができる。
【００５４】
次に、第１実施形態に係る挿入補助具１０を用いてシート状の生体埋植材Ａを体内に挿入する流れについて説明する。
【００５５】
まず、図３（ａ）に示すように、一対の半割部材２０，３０が開き、かつ、載置面２２上に生体埋植材Ａの端部が載置された状態で、図３（ｂ）に示すように、ヒンジ部４０を回動中心として半割部材３０を回動させて、一対の半割部材２０，３０を閉じる。そうすると、生体埋植材Ａの端部が一対の半割部材２０，３０でもって挟持された状態となる。その状態で、一対の半割部材２０，３０の外面に生体埋植材Ａを巻き付けると、挿入補助具１０を中心として筒状に巻かれた生体埋植材Ａが出来上がる。このようにして筒状に巻かれた生体埋植材Ａを、挿入補助具１０ごと、例えばトロッカーを介して体内に挿入する。
【００５６】
なお、体内挿入後は、生体組織が生体埋植材Ａで覆われるように、筒状に巻かれた生体埋植材Ａをシート状に展開し、一対の半割部材２０，３０による挟持状態を解除する。そして、トロッカーを介して又は直接、体内から挿入補助具１０を抜去（回収）する。
【００５７】
以上のように構成された第１実施形態に係る挿入補助具１０によれば、上述のように、生体埋植材Ａを小さく裁断しなくても体内に挿入することができるため、生体埋植材Ａを体内に挿入するための作業が煩雑になったり手術時間が長時間となったりすることもない。また、「挟む」と「巻き付ける」という２つの動作を行うだけで、比較的簡単にシート状の生体埋植材Ａを筒状に巻くことができるため、作業の容易性という面でも優れている。
【００５８】
また、第１実施形態に係る挿入補助具１０によれば、一対の半割部材２０，３０がヒンジ部４０を介して開閉可能に連結されているため、一対の半割部材２０，３０を開いた状態で包装体１内に封入しておくことができる。一対の半割部材２０，３０が開いた状態では、一対の半割部材２０，３０が閉じた状態と比べて、挿入補助具１０自体の高さ（厚み）が約半分となるため、包装体１全体の厚みもその分抑えることができ、従来の挿入補助具の場合ほど包装体が嵩張ることも無い。
【００５９】
したがって、第１実施形態に係る挿入補助具１０は、生体埋植材の適用面積が広い場合であっても、作業が煩雑になったり手術時間が長時間となったりすることなく、さらには製品出荷時において包装体が嵩張るのを抑えることが可能な挿入補助具となる。
【００６０】
また、第１実施形態に係る挿入補助具１０によれば、ヒンジ部４０が一対の半割部材２０，３０の長手方向に沿って配置されているため、一対の半割部材２０，３０を開いた状態で包装体１内に封入した際に、挿入補助具全体として長くなりすぎることもなく、比較的コンパクトなものとすることができる。
【００６１】
第１実施形態に係る挿入補助具１０においては、載置面２２におけるヒンジ部４０側の位置には、生体埋植材Ａの載置位置及び載置角度を調整するための載置調整部（壁部２４）が設けられている。これにより、生体埋植材Ａの載置位置や載置角度を正しく調整したうえで載置面２２上に生体埋植材Ａを載置することができ、一対の半割部材２０，３０の外面に生体埋植材Ａを適切に巻き付けることが可能となる。
【００６２】
第１実施形態に係る挿入補助具１０においては、載置調整部は、載置面２２に対して垂直に立設された壁部２４である。これにより、生体埋植材Ａを壁部２４に突き当てるだけで、生体埋植材Ａの載置位置や載置角度を正しく調整することが可能となる。
【００６３】
第１実施形態に係る挿入補助具１０においては、一対の半割部材２０，３０のそれぞれは、断面半円形であり、一対の半割部材２０，３０を閉じると円筒状となる。これにより、一対の半割部材２０，３０の外面に生体埋植材Ａを巻いたとき、生体埋植材Ａに望ましくない折れ目が生じることなく、スムーズに巻き付けることが可能となる。また、トロッカー等の円管部材を介しての体内挿入が比較的容易となる。
【００６４】
第１実施形態に係る包装体１によれば、上記した挿入補助具１０を備えているため、生体埋植材の適用面積が広い場合であっても、作業が煩雑になったり手術時間が長時間となったりすることなく、さらには製品出荷時において従来よりも嵩張ることの無い、優れた包装体となる。
【００６５】
第１実施形態に係る包装体１においては、２つの挿入補助具１０のそれぞれは、生体埋植材Ａにおける直交する２辺に沿って配置されている。２つの挿入補助具１０のうち、長辺側に配置された挿入補助具１０を用いるのか、短辺側に配置された挿入補助具１０を用いるのかを、使用者の意図に応じて自由に選択することができ、使い勝手に優れたものとなる。
【００６６】
［第２実施形態］
図５は、第２実施形態に係る挿入補助具１０ａを説明するために示す図である。図５（ａ）は一対の半割部材２０，３０ａを閉じた状態における、挿入補助具１０ａの一端部を拡大して示す斜視図であり、図５（ｂ）は一対の半割部材２０，３０ａを閉じた状態における、挿入補助具１０ａの左側面拡大図である。
なお、図５（ａ）及び図５（ｂ）において、図１及び図２と同一の部材については同一の符号を付し、詳細な説明は省略する。
【００６７】
第２実施形態に係る挿入補助具１０ａは、基本的には第１実施形態に係る挿入補助具１０と同様の構成を有するが、半割部材３０ａに傾斜部３２ａが形成されている点で、第１実施形態に係る挿入補助具１０とは異なる。
【００６８】
傾斜部３２ａは、図５（ａ）及び図５（ｂ）に示すように、半割部材３０ａにおける開口側（ヒンジ部４０とは反対側）の位置に形成されている。
【００６９】
一対の半割部材２０，３０ａの対向する二面の間に形成される隙間ｇの高さについて、傾斜部３２ａが設けられていない位置では一定であるが、傾斜部３２ａが設けられた位置では、半割部材３０ａにおける開口側（ヒンジ部４０とは反対側）に向かうにしたがって、隙間ｇが広がっている。
【００７０】
このように、第２実施形態に係る挿入補助具１０ａは、第１実施形態に係る挿入補助具１０とは、半割部材３０ａに傾斜部３２ａが形成されている点で異なるが、第１実施形態に係る挿入補助具１０の場合と同様に、一対の半割部材２０，３０ａがヒンジ部４０を介して開閉可能に連結されており、一対の半割部材２０，３０ａを開いた状態で包装体内に封入しておくことができるため、第１実施形態で説明した理由と同様の理由により、生体埋植材の適用面積が広い場合であっても、作業が煩雑になったり手術時間が長時間となったりすることなく、さらには製品出荷時において包装体が嵩張るのを抑えることが可能な挿入補助具となる。
【００７１】
第２実施形態に係る挿入補助具１０ａにおいては、半割部材３０ａに傾斜部３２ａが形成されているため、例えば、生体埋植材を挟まずに一対の半割部材２０，３０ａを閉じた状態で、半割部材２０，３０ａの隙間ｇに生体埋植材を後から挿入したい場合などに、当該隙間ｇに生体埋植材を挿入しやすいという効果がある。
【００７２】
第２実施形態に係る挿入補助具１０ａは、半割部材３０ａに傾斜部３２ａが形成されている点以外では、第１実施形態に係る挿入補助具１０と同様の構成を有するため、第１実施形態に係る挿入補助具１０が有する効果のうち該当する効果をそのまま有する。
【００７３】
［第３実施形態］
図６は、第３実施形態に係る生体埋植材用挿入補助具１０ｂを説明するために示す斜視図である。図６においては、一対の半割部材２０ｂ，３０ｂが開いた状態における、挿入補助具１０ｂの一端部を拡大して図示している。
【００７４】
第３実施形態に係る挿入補助具１０ｂは、基本的には第１実施形態に係る挿入補助具１０と同様の構成を有するが、半割部材２０ｂ，３０ｂの端部に所定深さの凹部２６ｂ，３６ｂが設けられている点で、第１実施形態に係る挿入補助具１０とは異なる。
【００７５】
凹部２６ｂ，３６ｂは、図６に示すように、略半円状の孔である。凹部２６ｂ，３６ｂの深さは、鉗子等で把持可能な深さに設定されていればよく、例えば５ｍｍ以上に設定されているのが好ましい。なお、図示による説明は省略するが、これら凹部２６ｂ，３６ｂは、半割部材２０ｂ，３０ｂの両端部（右側面及び左側面の両方）に設けられている。
【００７６】
このように、第３実施形態に係る挿入補助具１０ｂは、第１実施形態に係る挿入補助具１０とは、半割部材２０ｂ，３０ｂの端部に所定深さの凹部２６ｂ，３６ｂが設けられている点で異なるが、第１実施形態に係る挿入補助具１０の場合と同様に、一対の半割部材２０ｂ，３０ｂがヒンジ部４０ｂを介して開閉可能に連結されており、一対の半割部材２０ｂ，３０ｂを開いた状態で包装体内に封入しておくことができるため、第１実施形態で説明した理由と同様の理由により、生体埋植材の適用面積が広い場合であっても、作業が煩雑になったり手術時間が長時間となったりすることなく、さらには製品出荷時において包装体が嵩張るのを抑えることが可能な挿入補助具となる。
【００７７】
第３実施形態に係る挿入補助具１０ｂにおいては、一対の半割部材２０ｂ，３０ｂの端部に所定深さの凹部２６ｂ，３６ｂが設けられているため、例えば、体内で一対の半割部材２０ｂ，３０ｂを開くときや、体内から挿入補助具１０ｂを回収するときなどにおいて、凹部２６ｂ，３６ｂが設けられた部分を鉗子等で把持しやすく、利便性に優れたものとなる。
【００７８】
第３実施形態に係る挿入補助具１０ｂは、半割部材２０ｂ，３０ｂの端部に所定深さの凹部２６ｂ，３６ｂが設けられている点以外では、第１実施形態に係る挿入補助具１０と同様の構成を有するため、第１実施形態に係る挿入補助具１０が有する効果のうち該当する効果をそのまま有する。
【００７９】
［第４実施形態］
図７は、第４実施形態に係る生体埋植材用挿入補助具１０ｃを説明するために示す図である。図７（ａ）は一対の半割部材２０ｃ，３０ｃが開いた状態における、挿入補助具１０ｃの一端部を拡大して示す斜視図であり、図７（ｂ）は一対の半割部材２０ｃ，３０ｃを閉じた状態における、挿入補助具１０ｃの一端部を拡大して示す斜視図である。
【００８０】
第４実施形態に係る挿入補助具１０ｃは、基本的には第１実施形態に係る挿入補助具１０と同様の構成を有するが、半割部材２０ｃ，３０ｃの端部に尖形部２８ｃ，３８ｃが設けられている点で、第１実施形態に係る挿入補助具１０とは異なる。
【００８１】
尖形部２８ｃ，３８ｃは、図７に示すように、一対の半割部材２０ｃ，３０ｃの端部に設けられており、一対の半割部材２０ｃ，３０ｃを組み合わせたときに尖形（円錐）となる形状である。尖形部２８ｃ，３８ｃのそれぞれは、円錐をその高さ方向に沿って半分に分割した形状をなしている。なお、図示による説明は省略するが、これら尖形部２８ｃ，３８ｃは、半割部材２０ｃ，３０ｃの両端部（右側面及び左側面の両方）に設けられている。
【００８２】
このように、第４実施形態に係る挿入補助具１０ｃは、第１実施形態に係る挿入補助具１０とは、半割部材２０ｃ，３０ｃの端部に尖形部２８ｃ，３８ｃが設けられている点で異なるが、第１実施形態に係る挿入補助具１０の場合と同様に、一対の半割部材２０ｃ，３０ｃがヒンジ部４０ｃを介して開閉可能に連結されており、一対の半割部材２０ｃ，３０ｃを開いた状態で包装体内に封入しておくことができるため、第１実施形態で説明した理由と同様の理由により、生体埋植材の適用面積が広い場合であっても、作業が煩雑になったり手術時間が長時間となったりすることなく、さらには製品出荷時において包装体が嵩張るのを抑えることが可能な挿入補助具となる。
【００８３】
第４実施形態に係る挿入補助具１０ｃにおいては、一対の半割部材２０ｃ，３０ｃの端部には尖形部２８ｃ，３８ｃが設けられているため、例えば、体内に挿入補助具１０ｃを挿入する際に挿入しやすく、また、体内から挿入補助具１０ｃを回収する際に回収しやすいという効果がある。
【００８４】
第４実施形態に係る挿入補助具１０ｃは、半割部材２０ｃ，３０ｃの端部に尖形部２８ｃ，３８ｃが設けられている点以外では、第１実施形態に係る挿入補助具１０と同様の構成を有するため、第１実施形態に係る挿入補助具１０が有する効果のうち該当する効果をそのまま有する。
【００８５】
以上、本発明の生体埋植材用挿入補助具及び包装体を上記の実施形態に基づいて説明したが、本発明は上記の実施形態に限定されるものではなく、その要旨を逸脱しない範囲において種々の態様において実施することが可能であり、例えば次のような変形も可能である。
【００８６】
（１）上記実施形態においては、包装体１に封入される２つの挿入補助具１０の配置位置が、図４（ａ）に示すように各辺の中間位置である場合を例示して説明したが、本発明はこれに限定されるものではない。
図８は、変形例に係る包装体１ａを説明するために示す図である。図８においては、挿入補助具１０を着色して図示している。
例えば図８に示すように、各辺の一端から突出するように挿入補助具１０を配置してもよい。
【００８７】
（２）上記実施形態においては、包装体１に封入される挿入補助具１０の数が２つである場合を例示して説明したが、本発明はこれに限定されるものではなく、例えば１つであってもよいし、３つ以上であってもよい。また封入される挿入補助具の数が複数であるとき、異なる長さ又は幅の挿入補助具が封入されていてもよい。
【００８８】
（３）上記実施形態においては、載置調整部が壁部である場合を例示して説明したが、本発明はこれに限定されるものではない。例えば、載置するときの目印となる直線が載置面上に引いてあってもよいし、所定高さのピンが載置面上に複数設けられていてもよい。
【００８９】
（４）上記実施形態においては、載置面の全体にわたって施された凹凸処理が、ブラスト加工によるものであったが、本発明はこれに限定されるものではなく、例えば、シボ加工など、他の表面加工方法による凹凸処理が施されていてもよい。
【００９０】
（５）上記実施形態においては、載置面の全体にわたって凹凸処理が施されている場合を例示して説明したが、本発明はこれに限定されるものではなく、例えば、載置面のうち開口側のみなど、載置面の一部のみに凹凸処理が施されていてもよい。また、載置面にそれらの凹凸処理が施されていなくてもよい。さらにまた、凹凸処理に代えて又は凹凸処理とともに、所定高さの突起を載置面の一部に設け、当該突起により、一対の半割部材で生体埋植材を挟んだときにおける生体埋植材の位置ずれを抑制するようにしてもよい。
【００９１】
（６）上記実施形態においては、一対の半割部材のうち一方の半割部材のみに載置面が形成されている場合を例示して説明したが、本発明はこれに限定されるものではなく、一対の半割部材の両方に載置面がそれぞれ形成されていてもよい。
【００９２】
（７）上記第２実施形態においては、一対の半割部材２０，３０ａのうち一方の半割部材３０ａ（載置面が形成されていない方の半割部材）のみに傾斜部３２ａが形成されている場合を例示して説明したが、本発明はこれに限定されるものではない。一対の半割部材のうち載置面が形成されている方の半割部材のみに傾斜部が形成されていてもよいし、一対の半割部材の両方に傾斜部がそれぞれ形成されていてもよい。
【００９３】
（８）上記第３実施形態においては、略半円状の孔からなる凹部２６ｂ，３６ｂが設けられている場合を例示して説明したが、本発明はこれに限定されるものではなく、例えば円形や多角形等の他の形状の孔からなる凹部であってもよいし、凹部に代えて、鉗子等で把持可能な凸部が設けられていてもよい。また、これらの凹部等が、一対の半割部材の両方及び両端部に設けられている場合に限らないことは言うまでもない。
【００９４】
（９）上記第４実施形態においては、一対の半割部材２０ｃ，３０ｃを組み合わせたときに円錐形状となる尖形部２８ｃ，３８ｃが設けられている場合を例示して説明したが、本発明はこれに限定されるものではなく、円錐台形状であってもよいし、円錐の先端部分を丸めた形状であってもよい。一対の半割部材を閉じたときに角筒状となるように構成されている場合であれば、一対の半割部材を組み合わせたときに角錐形状となる尖形部が設けられていてもよい。また、尖形部が、一対の半割部材の両方及び両端部に設けられている場合に限らないことは言うまでもない。
【００９５】
（１０）上記実施形態においては、一対の半割部材のそれぞれが断面半円形であり、一対の半割部材を閉じると真円の円筒状となるように構成されている場合を例示して説明したが、本発明はこれに限定されるものではない。例えば、一対の半割部材を閉じたときに楕円の円筒状となるように構成されていてもよいし、角を丸めた多角形の角筒状となるように構成されていてもよい。なお、一対の半割部材を閉じたときの形状が楕円又は多角形である場合、一対の半割部材の幅Ｗや高さＨの数値範囲については、第１実施形態で説明したものに限定されない。
【００９６】
（１１）上記実施形態においては、生体埋植材用挿入補助具（半割部材）を構成する材料として、ポリプロピレンを用いた場合を例示して説明したが、本発明はこれに限定されるものではなく、例えば、ポリエチレンなど他のプラスチック材料を用いてもよい。また、材料としてはプラスチック材料に限定されず、例えばゴム材料（シリコーンゴムなど）や金属材料などを用いてもよいし、紙などを用いてもよい。
【００９７】
（１２）上記実施形態においては、包装体が備える内袋として、熱圧着により両端部を封止可能に構成されたものを例示して説明したが、本発明はこれに限定されるものではない。生体埋植材と生体埋植材用保護シートを組み合わせた状態で内部に収納可能であれば、他の構成を採用してもよい。また、内袋の構成材料についても、上記実施形態で説明した材料に限定されず、他の材料からなっていてもよい。
【００９８】
（１３）上記実施形態においては、生体埋植材が長方形状である場合を例示して説明したが、本発明はこれに限定されるものではない。例えば正方形状など、他のシート形状からなる生体埋植材に対しても、本発明を適用可能である。
【００９９】
（１４）上記実施形態においては、生体埋植材が癒着防止材である場合を例示して説明したが、本発明はこれに限定されるものではない。例えば組織補填材など、他のシート状の生体埋植材であっても、本発明を適用可能である。
【符号の説明】
【０１００】
１，１ａ  包装体
１０，１０ａ，１０ｂ，１０ｃ  生体埋植材用挿入補助具
２０，２０ｂ，２０ｃ，３０，３０ａ，３０ｂ，３０ｃ  半割部材
２２，２２ｂ，２２ｃ  載置面
２４  壁部
２６ｂ，３６ｂ  凹部
２８ｃ，３８ｃ  尖形部
３２ａ  傾斜部
４０，４０ｂ，４０ｃ  ヒンジ部
９０  内袋
９２，９４  （内袋の）端部
９６  切り口
Ａ  生体埋植材
ｇ  隙間
【図１】
2015058036.tif 000003
【図２】
2015058036.tif 000004
【図５】
2015058036.tif 000005
【図６】
2015058036.tif 000006
【図７】
2015058036.tif 000007
【図３】
2015058036.tif 000008
【図４】
2015058036.tif 000009
【図８】
2015058036.tif 000010